(57)【特許請求の範囲】
【請求項１】
印刷媒体としての内祝いの米の包装に付されたＡＲマーカとしての新生児の写真とこのＡＲマーカに紐付けられた仮想画像としての新生児の動画とを処理するものであり、仮想画像サーバと、第一のユーザー側の画像送信装置と、この画像送信装置から遠隔地にある第二のユーザー側のＡＲ表示装置と、これ等を接続するためのネットワークとから構成される拡張現実システムであって、前記印刷媒体を撮影するためのカメラを備えてこのカメラで撮影した撮影画像を前記仮想画像サーバに送信したり、この仮想画像サーバから前記仮想画像を受信してこの仮想画像を前記撮影画像に重ねて表示したりするための前記ＡＲ表示装置と、このＡＲ表示装置から前記撮影画像を第一のユーザーの前記画像送信装置に送信させることなく直接受信してこの撮影画像に含まれる前記ＡＲマーカに紐付けられた前記仮想画像を見出し、この仮想画像を仮想画像記憶装置から読み出して前記ＡＲ表示装置に送信するための前記仮想画像サーバと、前記仮想画像となる画像と前記印刷媒体に付すためのＡＲマーカとを、前記ＡＲ表示装置に送信することなく前記仮想画像サーバにのみ送信するものであり且つ前記画像サーバに前記仮想画像となる画像と前記ＡＲマーカとの紐付けを明確にさせるべく同時に送信するものである前記画像送信装置と、から構成され、前記仮想画像となる画像と同時に受信された前記ＡＲマーカは、前記仮想画像サーバ側でこのＡＲマーカが付された前記印刷媒体として前記第二のユーザー側に宛てて発送されるものと成ることを特徴とする、拡張現実システム。
【請求項２】
印刷媒体としての内祝いの米の包装に付されたＡＲマーカとしての新生児の写真とこのＡＲマーカに紐付けられた仮想画像としての新生児の動画とを処理する方法であり、仮想画像サーバと、第一のユーザー側の画像送信装置と、この画像送信装置から遠隔地にある第二のユーザー側のＡＲ表示装置と、これ等を接続するためのネットワークとから構成された拡張現実システムで処理される拡張現実処理方法であって、前記仮想画像サーバは前記ネットワークを介して、画像送信装置から前記ＡＲ表示装置に送信することなく前記仮想画像サーバにのみ宛てて且つ前記画像サーバに前記仮想画像となる画像と前記ＡＲマーカとの紐付けを明確にさせるべく同時に、送信された前記仮想画像となる画像と前記ＡＲマーカとを受信して仮想画像記憶装置に予め登録しておき、前記仮想画像サーバ側は前記仮想画像となる画像と同時に受信された前記ＡＲマーカを、このＡＲマーカが付された前記印刷媒体として前記第二のユーザー側に宛てて発送し、前記仮想画像サーバは、前記ＡＲ表示装置のカメラで撮影されて第一のユーザーの前記画像送信装置に送信させることなく直接送信させた撮影画像を受信して、この撮影画像に含まれる前記ＡＲマーカに紐付けられた前記仮想画像を見出し、この仮想画像を前記仮想画像記憶装置から読み出して前記ＡＲ表示装置に向けて送信し、このＡＲ表示装置は前記仮想画像を受信してこの仮想画像を前記撮影画像に重ねて表示する、拡張現実処理方法。
【請求項３】
請求項２に記載の拡張現実処理方法をコンピュータに実行させるプログラム。
【請求項４】
請求項２に記載の拡張現実処理方法をコンピュータに実行させるためのプログラムを記録した、コンピュータ読み取り可能な記録媒体。
【発明の詳細な説明】
【技術分野】
【０００１】  この発明は、カメラで撮影された撮影画像から得られるＡＲマーカを用いて、画像送信装置により外部から登録された仮想画像の中から該当する仮想画像を見出し、これをカメラ側に送信して、カメラ側で上記撮影画像に仮想画像を重ねて表示させるようにすると言うまったく新しいＡＲ技術に関する。仮想画像の登録を受け付けるのは仮想画像サーバであり、仮想画像の登録依頼をするのは第一のユーザー側の画像送信装置であり、撮影画像に仮想画像を重ねて表示するのは第二のユーザー側のＡＲ表示装置であって、これ等は共にネットワークに接続されている。
【背景技術】
【０００２】  カメラで撮影した現実の視界情報の表示上に仮想三次元映像を重ねて表示する技術は拡張現実（ＡＲ：Ａｕｇｍｅｎｔｅｄ  Ｒｅａｌｉｔｙ）や強化現実などと呼称される。一般的にこのＡＲ技術では、ＡＲマーカと呼ばれる一次元コードや二次元コードなどの識別子が用いられ、カメラがこのＡＲマーカを含む現実の視界を撮影して、ＡＲマーカに対応付けられている仮想三次元映像を探し出し、この仮想三次元映像を上記撮影された現実の視界情報に重ね合わせて表示している。【０００３】  特開２０１４−０４１５０８号の商品情報提供システムには上記ＡＲ技術が用いられており、利用者が携帯する携帯端末と、サーバとを備え、一次元のバーコードが付されている商品に関する商品情報を前記利用者に提供する商品情報提供システムであって、前記携帯端末は、撮像部と、該撮像部によって撮像した画像に含まれる商品の前記バーコードを読取って前記サーバに送信する一方、前記サーバから送信される前記バーコードに対応する商品に関する商品情報を受信する通信部と、受信した前記商品情報を前記撮像部によって撮像される画像に重畳して表示する表示部とを備え、前記サーバは、前記バーコードに対応した商品の情報が格納されるデータベースと、携帯端末から送信されるバーコードを受信する一方、受信したバーコードに対応する商品情報を前記データベースから読み出して前記携帯端末に送信する通信部と、を備えるものである。
【先行技術文献】
【特許文献】
【０００４】
【特許文献１】特開２０１４−０４１５０８号
【発明の概要】
【発明が解決しようとする課題】
【０００５】  特開２０１４−０４１５０８号で用いられているＡＲ技術では、利用者（ユーザー）が携帯端末の撮像部によって撮像した商品画像にサーバから受信した上記商品画像に対応する商品情報を重畳して表示する、すなわちＡＲ表示する点が重要である。【０００６】  しかしながらこの種技術は多々あり、特開２０１４−０４１５０８号はこれを代表するものであるが、商品情報を提供するサーバ側に対してユーザー側は商品情報を一方的に受けるに過ぎないと言う関係にある。すなわち商品情報はサーバ側で準備したものであって、ユーザー側はこれに対して何らの決定権も与えられてはいない。【０００７】  一方、特開２０１４−０４１５０８号に代表されるこの種サービスでは、ユーザーは一種均等であり、利用目的の異なる例えば二種のユーザーが同じサーバを利用することは想定されていない。見方を変えればサーバと、サーバが提供するサービスを受けるだけのユーザーと、サーバが提供するサービス内容に積極的に関わるユーザーと、の三者で構成されるようなＡＲ技術はこれまでに全くなかったのである。【０００８】  そこでこの発明は、（イ）ＡＲ表示される商品情報をサーバ側が準備するに当り、ユーザー側がこれに関わることができるようにすること、（ロ）サーバが提供するサービスを受けるだけのユーザーと、サーバが提供するサービス内容に積極的に関わるユーザーとの三者でＡＲ技術を構成できるようにすること、の何れか一の解決をまたは両方の解決を課題とする。
【課題を解決するための手段】
【０００９】  そこで当発明者は鋭意研究の結果、ＡＲ表示のための仮想画像となる画像をユーザー側の画像送信装置から受信して仮想画像記憶装置に予め登録しておくようにすれば良い、と言う着想を得た。サーバでは仮想画像となる画像をユーザー側から提供してもらうようにするのである。【００１０】  すなわち上記課題は、仮想画像サーバが、後記仮想画像となる画像をインターネットなどのネットワークを介し画像送信装置から受信して仮想画像記憶装置に予め登録しておき、カメラで撮影したＡＲマーカが付された印刷媒体の前記ＡＲマーカを前記ネットワークを介して受信し、ＡＲマーカに紐付けられた動画や静止画などの前記仮想画像を見出しこの仮想画像を仮想画像記憶装置から読み出して、この仮想画像を前記カメラを備えたＡＲ表示装置で前記撮影画像に重ねて表示するように前記ＡＲ表示装置に送信するようにすることにより達成される。【００１１】  拡張現実あるいは強化現実は、カメラで撮影した現実の視界情報の表示上に仮想画像を重ねて表示するものであるが、この仮想画像をユーザーの画像送信装置から送信してもらい仮想画像記憶装置に予め登録しておく技術は、この発明独自のまったく新しいものである。なお仮想画像のデータには音声データを含めても、含めなくても良い。ＡＲ表示装置にはパーソナルコンピュータや、いわゆるネット接続が可能なテレビジョン受像機や、スマートフォンやタブレット端末や、ウェアラブルコンピュータなどを自由に設定することができる。またカメラは標準装備であっても、外付けであっても良い。【００１２】  ユーザーがＡＲマーカが付された印刷媒体をＡＲ表示装置のカメラで撮影して、この映像を仮想画像サーバに送信すると、仮想画像サーバではＡＲマーカを抽出して、このＡＲマーカに紐付けられている仮想画像を仮想画像記憶装置に記録された仮想画像の中から決定して読み出し、この仮想画像をＡＲ表示装置に送信する。するとＡＲ表示装置では、仮想画像サーバから受信した仮想画像を、カメラで撮影したＡＲマーカが付された印刷媒体に重ねるようにしてＡＲ表示する。実はこの仮想画像こそユーザー自身が画像送信装置から仮想画像サーバに送信して、仮想画像記憶装置に登録したものなのである。もはやユーザー側は商品情報を一方的に受けるものではなくなっている。従って上記（イ）の課題が達成された。【００１３】  印刷媒体をカメラで撮影する場合、写真は静止画であるが、ビデオ撮影によって動画になる場合がある。その何れであっても撮影された印刷媒体の映像にはＡＲマーカが含まれている。例えばＡＲマーカをＱＲコード（登録商標、以下同様）とした場合に、仮想画像サーバは映像の中からＱＲコードを抽出してこのＱＲコードの値に紐付けられている仮想画像を見出すと言うことを行う。あるいは印刷媒体の映像そのものをＡＲマーカとして、この映像そのものにマッチングする映像を複数の映像の中から検索し、索出された映像に紐付けられている仮想画像を見出すと言うことを行う。また単語やフレーズをＡＲマーカとして文字認識する方式でも良い。この辺りの技術は従来技術の中から自由に選択することができる。あるいは将来開発される技術があればこれを採用するようにしても良い。【��０１４】  従ってＡＲマーカには、文字列、画像、ＱＲコードやカメレオンコード（登録商標）などのマーカとなり得るものであれば何でも利用可能であり、印刷媒体には、米を始めとする各種商品、それ等の包装体、グリーティングカードやＴシャツなど、ＡＲマーカを付すことが可能なものであれば何でも利用できる。例えば次のようなサービスを提供したいと考える。すなわち仮想画像サーバに対して利用目的の異なる例えば二種のユーザーを想定し、これを第一のユーザーと第二のユーザーとする。第一のユーザーに子供が出来てそのお祝いを第二のユーザーから受けたとする。そこで第一のユーザーはこの出産祝いのお返しすなわち内祝いとしてお米を第二のユーザーに贈るとする。印刷媒体としてのお米の包装袋には新生児の写真が印刷されている。そこで第二のユーザーは、ＡＲ表示装置となるアプリと呼称される応用ソフトがインストールされたスマートフォンのカメラを写真にかざすと、その写真に重なるようにして第一のユーザーが自ら撮影した新生児の仮想動画が表示される。なおこのサービスでは写真そのものをＡＲマーカとしており、新生児の写真データを仮想画像サーバに送信すると、第一のユーザーにより予め仮想画像サーバに登録してあった写真データの中から同じ写真データがあるか否かを検索して、索出された場合には、その写真データに紐付けられているこの新生児の動画を仮想画像記憶装置から読み出して第二のユーザーのＡＲ表示装置に送信するのである。このように、サーバと、サーバが提供するサービスを受けるだけの第二のユーザーと、サーバが提供するサービス内容に積極的に関わる第一のユーザーと、の三者間でこれまでにない新しいＡＲサービスを容易に構成することができるようになっている。従って上記（ロ）の課題が達成された。【００１５】  なお上記（２）は単にギフトの分野にだけ適用されるものではなく、例えばイベントを告知するポスターとイベント会場を撮影した動画との組み合わせや、音楽ＣＤジャケットとコンサートで撮影された動画との組み合わせや、年賀状と家族の近況を撮影した動画との組み合わせや、販促用印刷が施されたポケットティッシュと店内の様子を撮影した動画との組み合わせなど幅広い用途が考えられるのも、この発明の産業の発展に対する寄与度が高いことの証明である。【００１６】  次に、前記画像送信装置は更に、前記印刷媒体に付すための印刷情報を前記仮想画像サーバに登録してもらうべく送信するものとすることができる。上述した内祝いの例で説明すれば、第一のユーザーは新生児の仮想動画を画像送信装置により仮想画像サーバに送信して、その仮想画像記憶装置に登録してもらっていた。そこで第一のユーザーは更にお米の包装袋に印刷するための印刷情報である新生児の写真をも仮想画像サーバに送信して、これを使用してもらうべく登録するのである。なおこの使用とは、少なくとも写真と仮想動画とを紐付けることを言う。従って上掲例で言えば、包装袋に印刷情報を付することは第一のユーザーが行っても、仮想画像サーバ側が行っても、あるいはお米の販売者が行っても、またそれ以外であっても良いことになる。【００１７】  なお上述した内祝いの例では、第一のユーザーが送信するお米の包装袋に印刷するための印刷情報に静止画像としての新生児の写真を用いており、この写真そのものがＡＲマーカでもあったが、印刷情報はイラストや毛筆文、あるいは例えばＡＲマーカとしてのバーコードのみ、などとすることも可能である。【００１８】  次に、前記印刷媒体に贈答品を用いることができる。上述した内祝いの例ではお米であったが、いわゆるギフト商品全般にこの発明を適用するのである。あるいは広義にはグリーティングカードなども贈答品に含めることが可能である。【００１９】  次に、前記仮想画像記憶装置は前記画像送信装置による前記画像の更新を受け付けるようにしても良い。この発明の要諦は画像を（イ）ユーザー自身が、あるいは（ロ）第一のユーザー自身が、画像送信装置から仮想画像サーバに送信して、仮想画像記憶装置に登録してもらうことにある。この仮想画像の更新を可能にすることによって、すなわちＡＲマーカとの紐付けを更改することによって、（イ）ユーザーが、あるいは（ロ）第二のユーザーが新たにＡＲ表示装置のカメラでＡＲマーカが付された印刷媒体を撮影した時に、ＡＲ表示される仮想画像を以前のものとは異なって見えるようにすることができるのである。【００２０】  次に、前記仮想画像サーバは前記画像送信装置による複数の前記画像の登録を受け付けると共に、これ等複数の前記画像を１つの前記ＡＲマーカに紐付けるようにすることができる。前記画像の複数登録を受け付けることで、ＡＲ表示のバリエーションを増やすことができるようになる。前記仮想画像のデータには１枚の静止画、複数枚の静止画、１本の動画、複数本の動画などを自由に用いてよいわけであるが、段落００１５で説明した動画の場合、前記仮想画像サーバは、複数本の前記動画から１つを選択して前記ＡＲ表示装置に送信することができる。すると前記ＡＲ表示装置側では、これ等を一覧表示して、ユーザーが見たい画像を選択し得るように設計することが可能である。あるいは段落００４３で説明するようにこれ等を順次表示するような設計も可能である。【００２１】  なお上記の拡張現実処理方法をコンピュータに実行させるプログラムとして提供することができる。またこのプログラムを記録したコンピュータ読み取り可能な記録媒体として提供することができる。
【発明の効果】
【００２２】  この発明では、サーバが、ＡＲ表示のための仮想画像となる画像をユーザー側から提供してもらう、すなわちユーザーの画像送信装置から受信して仮想画像記憶装置に予め登録しておくようにしている点に特徴を有する。これによりＡＲ表示される商品情報をサーバ側が準備するに当り、ユーザー側がこれに関わることができるようにすること、あるいはサーバが提供するサービスを受けるだけのユーザーと、サーバが提供するサービス内容に積極的に関わるユーザーとの三者でＡＲ技術を構成できるようにすることが可能になり、所期の目的が達成された。
【図面の簡単な説明】
【００２３】
【図１】  実施例１のシステムを模式的に表す説明図である。
【図２】  実施例１のシステムの説明図である。
【図３】  実施例１のＡＲ表示部をブロック図で表した説明図である。
【図４】  実施例１の動画送信装置をブロック図で表した説明図である。
【図５】  実施例１のＡＲ処理部をブロック図で表した説明図である。
【図６】  実施例１の動作状態を模式的に表す説明図である。
【図７】  実施例１の動画送信装置の処理ステップを表す説明図である。
【図８】  実施例１の仮想画像登録部の処理ステップを表す説明図である。
【図９】  実施例１のＡＲ表示部の処理ステップを表す説明図である。
【図１０】  実施例１のＡＲ処理部の処理ステップを表す説明図である。
【図１１】  実施例１のＡＲ表示部の処理ステップを表す説明図である。
【図１２】  実施例２のＡＲ表示部をブロック図で表した説明図である。
【図１３】  実施例３の仮想画像登録部の処理ステップを表す説明図である。
【図１４】  実施例４の動作状態を模式的に表す説明図である。
【発明を実施するための形態】
【実施例１】
【００２４】  図１乃至図１１でこの実施例を説明する。サーバ側に対してユーザー側は２種あるが、図１の左手に表された第二のユーザーがサーバ側に仮想画像３２の送信を要求し送信されて来た仮想画像３２をディスプレイ１０に表示する。これが従来のサーバとクライアントの関係になるが、実施例１が特殊なのは、図１の下手に表された第一のユーザーの画像送信装置から送信された仮想画像３２となる画像（この例では動画である）を、サーバ側の仮想画像記憶部５４に登録するようにしている点にある。従来であれば仮想画像３２とする画像はサーバ側で所有するものを登録しており、言わば部外者としてのユーザー側には仮想画像３２となる画像の所有、選択、登録などと言うことはまったく考えられないことであった。【００２５】  この実施例は、サーバ側に対してユーザー側は２種であることを示すものである。すなわち上述したように第一のユーザーに子供が生まれてその出産祝いを第二のユーザーから受けたとする。そこで第一のユーザーは内祝いのお米を第二のユーザーに贈ることにする。ここでお米を贈るのは我が家に新米が来たことに掛けているわけである。第一のユーザーはお米の注文をサーバ側に属する販売者に出すが、この際に送り先の住所や、新生児の名前と共に、新生児の写真３０を販売者に提供する。これにより販売者は米袋３に新生児の写真３０や名前などを印刷した上で送り先に届けることになる。ここまでは従来からある一般的なサービスである。【００２６】  このようなサービスに加えて第一のユーザーは、この写真３０をサーバ側に渡しておくようにする。上述したように印刷媒体としての米袋３には新生児の写真３が印刷されている。そこでお米が届いた第二のユーザーが、ＡＲ表示装置４となるアプリと呼称される応用ソフトがインストールされたスマートフォン１のカメラ１１をこの米袋３にかざすと、仮想画像３２が新生児の写真３０を含む米袋３の撮影画像３１に重なるようにして表示される。なお第一のユーザーは第二のユーザーともなる。上記応用ソフトをインストールしたスマートフォン１のカメラ１１を米袋３の写真３０にかざせば、仮想画像３２を再生することができる。以下ではこのような仕組みについて詳述する。【００２７】  表側にディスプレイ１０を、裏側にカメラ１１を備えたスマートフォン１は、無線にてインターネットに接続されている。説明の便宜上スマートフォン１は第一のユーザーのものと第二のユーザーのものとで同一であり、かつＡＲ表示を行う機能も同一であるものとするが、第一のユーザーのスマートフォン１には、後述のような特別な機能が備わっている。インターネットにはまた仮想画像サーバ２が接続されている（図２）。【００２８】  第二のユーザーのスマートフォン１のＡＲ表示部４を図３のブロック図にて表すと、このＡＲ表示部４は、撮影部４０と表示部４１と送受信部４２とから構成されている。また同様の構成は第一のユーザーのスマートフォン１も備えているが、図４にて表すように特に動画送信装置４３として、仮想画像サーバ２の仮想画像記憶部５４に登録する仮想画像３２となる画像を撮影するための動画撮影部４４や動画送信部４６が構成されるようになっている。符号４５は撮影動画の��示部を指す。【００２９】  一方、仮想画像サーバ２のＡＲ処理部５を図５のブロック図で表すと、ＡＲ処理部５は検索部５０と画像記憶部５１と画像決定部５２と仮想画像登録部５３と仮想画像記憶部５４と送受信部５５とから構成されている。【００３０】  各々のブロックの動作は次のようである。すなわち図７で表すように第一のユーザーがスマートフォン１を動画送信装置４３として用い、そのカメラ１１の動画撮影部４４で新生児の動画を、表示部４５にて確認しながら撮影して（ステップＳ１）、この動画を登録すべく、動画送信部４６にて仮想画像サーバ２に送信する（ステップＳ２）。【００３１】  すると仮想画像サーバ２は、図８で表すように、上記動画送信装置４３からの撮影動画３２（後に仮想画像として扱われるもの）を送受信部５５で受信して（ステップＳ３）、この撮影動画３２を仮想画像登録部５３にて仮想画像記憶部５４に記録する（ステップＳ４）。なお仮想画像サーバ２は別途、上述した米袋３に印刷された写真３のデータを画像記憶部５１に記録してあるので、この写真３と撮影動画３２とを紐付けておく。【００３２】  そこで図９で表すように第二のユーザーがスマートフォン１のカメラ１１を以て米袋３の写真３０にかざすと（ステップＳ５）、この撮影画像をＡＲ表示部４の表示部４１が処理してディスプレイ１０に表示すると共に、この撮影画像を圧縮処理して（ステップＳ６）、送受信部４２を以てインターネット経由で仮想画像サーバ２に宛てて送信する（ステップＳ７）。【００３３】  図１０で表すように仮想画像サーバ２では、ＡＲ処理部５の送受信部５５が上記撮影画像を受信すると（ステップＳ８）、映像決定部５２は検索部５０を以てこの撮影画像、すなわち写真３に合致する画像を画像記憶部５１の中から検索し（ステップＳ９）、索出された場合にはこの写真３に紐付けられている仮想画像、すなわち撮影動画３２を決定し（ステップＳ１０）、この撮影動画３２を仮想画像記憶部５４から読み出して、送受信部５５を以て第二のユーザーのスマートフォン１に宛て送信する（ステップＳ１１）。【００３４】  このような処理を模式的に表したものが図６であるが、いま撮影画像（ｃ）のデータを画像決定部５２が受け取ると、画像記憶部５１に記録されている画像（ａ、ｂ、ｃ、ｄ、ｅ、ｆ、ｇ・・）を当たって画像（ｃ）を索出するが、画像（ｃ）には仮想画像記憶部５４に記録されている仮想画像（Ｃ）が紐付けられているため、この仮想画像（Ｃ）を使用すると決定し、これを仮想画像記憶部５４から読み出して送受信部５５から送信すると、次に述べるように仮想画像（Ｃ）が第二のユーザーのスマートフォン１のディスプレイ１０ではＡＲ表示されるのである。【００３５】  すなわち図１１で表すように第二のユーザーのスマートフォン１のディスプレイ１０には、先に撮影された米袋３の写真３０の撮影画像（ｃ）が表示されているわけであるが、仮想画像サーバ２のＡＲ処理部５から送信された仮想画像（Ｃ）を送受信部４２で受信して（ステップＳ１２）、この仮想画像（Ｃ）を表示部４１にて撮影画像（ｃ）３１に重なるようにして表示する（ステップＳ１３）。従って米袋３の写真３０の上には出産祝いを贈った先のユーザー自らが仮想画像サーバ２に登録した新生児の動画が浮かび上がるように表示することが可能になっており、新生児誕生の目出度さと幸福感とをより一層高める効果は抜群である。
【実施例２】
【００３６】  次にこの実施例で用いるスマートフォンは、実施例１と同様に、表側にディスプレイ１０を裏側にカメラ１１を備えて、無線にてインターネットに接続されている。スマートフォンのＡＲ表示装置６を図１２のブロック図で表すと、ＡＲ表示装置６はＡＲマーカ読取部６０と表示部６１と送受信部６２とから構成されている。【００３７】  新生児の写真やＡＲマーカ３６が印刷された図示しないラベルが米の化粧箱に貼付されている。そこでこれをスマートフォンのカメラで撮影すると、ＡＲマーカ読取部６０がこの撮影画像からＡＲマーカを読み取り、このＡＲマーカのデータを送受信部６２からインターネットを経由して仮想画像サーバに宛てて送信する。なおこの実施例ではＡＲマーカ３６にＱＲコードを用いている。【００３８】  仮想画像サーバの側では、図示しないがＡＲ処理部の送受信部がＡＲマーカのデータを受信すると、画像決定部では検索部を以てこの受信したＡＲマーカのデータに合致するマーカーデータをＡＲマーカ記憶部の中から検索して、索出されたＡＲマーカに紐付けられている所の仮想画像を仮想画像記憶部から読み出して、送受信部を以てスマートフォンのＡＲ表示部に宛て送信する。この際の仮想画像は、第二のユーザー側の動画送信部が仮想画像サーバと通信して登録したものである。
【実施例３】
【００３９】  この実施例を図１３を用いて説明する。実施例３は第二のユーザーが仮想画像を仮想画像サーバに登録するに当り、いつまでも同じ仮想画像となる画像を仮想画像サーバに置いておくのではなく、必要に応じて変更できるようにする例である。【００４０】  すなわち仮想画像サーバの図示しないＡＲ処理部は、第一のユーザーの動画送信装置からの新たな撮影動画を送受信部で受信したら（ステップＳ１５）、この撮影動画を仮想画像更新登録部が仮想画像記憶部に更新登録する（ステップＳ１６）。従って第二のユーザーが仮想画像サーバにアクセスすると、スマートフォンを同じ米袋にかざした場合でも、上記更新前と更新後とでは異なる仮想画像がＡＲ表示されることになり興趣が尽きないものとなる。
【実施例４】
【００４１】  この実施例のＡＲ処理部に付いては図示せずに図５を借りて説明するが、システム全体の処理に付いては図１４で模式的に表した。実施例４の仮想画像サーバは、動画送信装置４３から仮想画像となる画像の複数登録を受け付けると共に、これ等複数の仮想画像を１つのＡＲマーカに紐付ける点が特徴である。【００４２】  いま撮影画像（ｄ）のデータを画像決定部５２が受け取ると、画像記憶部５１に記録されている画像（ａ、ｂ、ｃ、ｄ、ｅ、ｆ、ｇ・・）を当たって画像（ｄ）を索出するが、この画像（ｄ）には仮想画像記憶部５４に記録されている仮想画像（Ｄ１）（Ｄ２）（Ｄ３）が紐付けられている。そこでこの実施例の画像決定部はこの３つの仮想画像（Ｄ１）（Ｄ２）（Ｄ３）からランダムに１つを選択して、ここでは仮想画像（Ｄ２）に決定して、これを仮想画像記憶部５４から読み出して送受信部５５からＡＲ表示装置４に送信すると、仮想画像（Ｄ２）が第二のユーザーのスマートフォン１のディスプレイ１０で撮影画像（ｄ）に重ねるようにしてＡＲ表示される。【００４３】なお上記では画像決定部は、ＡＲ表示装置４からのアクセスがある度に３本の仮想画像（新生児の動画）からランダムに１本を選択したが、そうではなくシリアルに３本を次々と送信するように設定することも可能である。あるいはＡＲ表示装置４の側に於いて３本の仮想画像（新生児の動画）をすべて受信するようにし、これ等を組み合わせて順次表示して、３本の動画が連続するように見せるなどの処理を行い得るようにしても良い。【００４４】  さてこれまで４種の実施例を説明したが、この発明はこれ等の実施例に限定されるものではなく、種々バリエーションを展開することができる。例えばギフトの例では新生児の写真３０をお米の注文を受ける販売者に渡すと共に、仮想画像サーバの運営側にも提供していた。販売者はサーバ側に属するわけであるが、サーバ側と販売者とが一体運営である場合も考えられる。またこの写真３０は印刷物として提供することも、印刷データとして印刷情報送信部より送信することも可能である。
【産業上の利用可能性】
【００４５】  そもそもこの発明は、単にギフトを贈るだけでなく、これをより楽しく面白いものにしたいと言うことから始まっている。そこでＡＲ技術を利用することになったわけであるが、上述の実施例では仮想画像は実質的に第一のユーザーから第二のユーザーに提供されていた。しかしながら第一のユーザーは第二のユーザーともなることを説明した。そこでギフトを贈る際にも、またこのお返しをする際にも、双方でこのサービスを利用し合えるようにシステムを構成することが可能である。【００４６】  またこの発明を応用すれば、建物や樹木などのような動かせないものにＡＲマーカを付すことができる。これ等もまたこの発明の権利範囲内のものである。
【符号の説明】
【００４７】  １：スマートフォン  １０：ディスプレイ  １１：カメラ
２：仮想画像サーバ
３：米袋  ３０：写真  ３１：撮影画像  ３２：仮想画像
４：ＡＲ表示装置  ４０：撮影部  ４１：表示部  ４２：送受信部
４３：動画送信装置  ４４：動画撮影部  ４５：表示部  ４６：動画送信部
５：ＡＲ処理部  ５０：検索部  ５１：画像記憶部  ５２：画像決定部
５３：仮想画像登録部  ５４：仮想画像記憶部  ５５：送受信部
６：ＡＲ表示装置  ６０：ＡＲマーカ読取部  ６１：表示部  ６２：送受信部
【図１】
0005904379.tif 000002
【図２】
0005904379.tif 000003
【図３】
0005904379.tif 000004
【図４】
0005904379.tif 000005
【図５】
0005904379.tif 000006
【図６】
0005904379.tif 000007
【図７】
0005904379.tif 000008
【図８】
0005904379.tif 000009
【図９】
0005904379.tif 000010
【図１０】
0005904379.tif 000011
【図１１】
0005904379.tif 000012
【図１２】
0005904379.tif 000013
【図１３】
0005904379.tif 000014
【図１４】
0005904379.tif 000015